(57)【要約】【課題】移動局装置各々の通信状況等が異なっていても、ランダムアクセス信号を適切な帯域に割り当てることができ、ランダムアクセスによる接続の成功率、又は、ランダムアクセス信号以外の信号の通信効率を向上させることができること。【解決手段】ランダムアクセス信号を定められた帯域の中に割り当てて送信する通信装置において、前記帯域の組み合わせである帯域割当パターンであって、該組み合わせた帯域の大きさが、互いに異なる複数の前記帯域割当パターンを決定する帯域割当パターン決定部と、前記帯域割当パターン決定部が決定した帯域割当パターンの情報を通知する帯域割当パターン通知部と、を備える通信装置。【選択図】図４
2010114525.tif 000002
【特許請求の範囲】
【請求項１】
ランダムアクセス信号を定められた帯域の中に割り当てて送信する第１の通信装置と、該通信装置から送信されたランダムアクセス信号を受信する第２の通信装置と、を備える無線通信システムにおいて、
前記第１の通信装置は、
前記帯域の組み合わせである帯域割当パターンであって、該組み合わせた帯域の大きさが、互いに異なる複数の前記帯域割当パターンの中から、帯域割当パターンを決定する帯域割当パターン決定部と、
前記帯域割当パターン決定部が決定した帯域割当パターンの情報を通知する帯域割当パターン通知部と、
前記帯域割当パターン決定部が決定した帯域割当パターンの帯域の中に、前記ランダムアクセス信号を割り当てる帯域割当部と、
を備え、
前記第２の通信装置は、
前記第１の通信装置の帯域割当パターン通知部から通知された前記帯域割当パターンの情報を受信し、該帯域割当パターンの帯域を用いて、前記第１の通信装置からのランダムアクセス信号を受信する受信部を備えること
を特徴とする無線通信システム。
【請求項２】
ランダムアクセス信号を定められた帯域の中に割り当てて送信する複数の第１の通信装置と、該通信装置から送信されたランダムアクセス信号を受信する第２の通信装置と、を備える無線通信システムにおいて、
前記第１の通信装置は、
前記帯域の組み合わせである帯域割当パターンであって、該組み合わせた帯域の大きさが、互いに異なる複数の前記帯域割当パターンの中から、帯域割当パターンを決定する帯域割当パターン決定部と、
前記帯域割当パターン決定部が決定した帯域割当パターンの情報を通知する帯域割当パターン通知部と、
前記第２の通信装置の補正帯域割当パターン通知部から通知された補正帯域割当パターンの情報を受信し、該補正帯域割当パターンの帯域の中に、前記ランダムアクセス信号を割り当てる帯域割当部と、
を備え、
前記第２の通信装置は、
前記複数の第１の通信装置の帯域割当パターン通知部から通知された帯域割当パターンの情報に基づき、前記複数の第１の通信装置各々が用いる帯域割当パターンである補正帯域割当パターンを決定する補正帯域割当パターン決定部と、
前記補正帯域割当パターン決定部が決定した補正帯域割当パターンの情報を通知する補正帯域割当パターン通知部と、
を備えることを特徴とする無線通信システム。
【請求項３】
帯域割当パターン決定部は、前記第１の通信装置が送信可能な情報の送信速度を示す情報に基づいて、前記帯域割当パターンを決定すること
を特徴とする請求項１又は２に記載の無線通信システム。
【請求項４】
前記第１の通信装置は、前記第２の通信装置に対して、前記ランダムアクセス信号以外の通信サービスであって、通信可能な通信速度が異なる複数種類の通信サービスの通信を行い、
帯域割当パターン決定部は、通信予定の前記通信サービスの種類を示す情報に基づいて、前記帯域割当パターンを決定すること
を特徴とする請求項１又は２に記載の無線通信システム。
【請求項５】
前記第１の通信装置は、前記第２の通信装置に対して予め定められた帯域である通信帯域を用いて通信を行い、
帯域割当パターン決定部は、前記通信帯域の大きさを示す情報に基づいて、前記帯域割当パターンを決定すること
を特徴とする請求項１又は２に記載の無線通信システム。
【請求項６】
帯域割当パターン決定部は、前記第１の通信装置と前記第２の通信装置との通信の品質情報に基づいて、前記帯域割当パターンを決定すること
を特徴とする請求項１又は２に記載の無線通信システム。
【請求項７】
前記第１の通信装置は、前記第２の通信装置に対して通信の制御に用いる制御情報と制御情報以外のユーザ情報とを送信し、
帯域割当パターン決定部は、前記ユーザ情報の情報量を示す情報に基づいて、前記帯域割当パターンを決定すること
を特徴とする請求項１又は２に記載の無線通信システム。
【請求項８】
帯域割当パターン決定部は、前記ランダムアクセス信号の通信の成功率を示す情報に基づいて、前記帯域割当パターンを決定すること
を特徴とする請求項１又は２に記載の無線通信システム。
【請求項９】
帯域割当パターン決定部は、第１の通信装置の電池電圧情報に基づいて、前記帯域割当パターンを決定すること
を特徴とする請求項１又は２に記載の無線通信システム。
【請求項１０】
ランダムアクセス信号を定められた帯域の中に割り当てて送信する通信装置において、
前記帯域の組み合わせである帯域割当パターンであって、該組み合わせた帯域の大きさが、互いに異なる複数の前記帯域割当パターンを決定する帯域割当パターン決定部と、
前記帯域割当パターン決定部が決定した帯域割当パターンの情報を通知する帯域割当パターン通知部と、
を備えることを特徴とする通信装置。
【請求項１１】
ランダムアクセス信号を定められた帯域の中に割り当てて送信する通信装置における無線送信方法において、
前記通信装置が、前記帯域の組み合わせである帯域割当パターンであって、該組み合わせた帯域の大きさが、互いに異なる複数の前記帯域割当パターンを決定する第１の過程と、
前記通信装置が、前記第1の過程にて決定した帯域割当パターンの情報を通知する第２の過程と、
を有することを特徴とする無線送信方法。
【請求項１２】
ランダムアクセス信号を定められた帯域の中に割り当てて送信する通信装置のコンピュータに、
前記帯域の組み合わせである帯域割当パターンであって、該組み合わせた帯域の大きさが、互いに異なる複数の前記帯域割当パターンを決定する帯域割当パターン決定手段、
前記帯域割当パターン決定手段にて決定した帯域割当パターンの情報を通知する帯域割当パターン通知手段、
として機能させる無線送信プログラム。
【発明の詳細な説明】
【技術分野】
【０００１】
本発明は、無線通信システム、通信装置、無線通信方法、及び無線通信プログラムに関する。
【背景技術】
【０００２】
近年、Ｗ−ＣＤＭＡ（Ｗｉｄｅｂａｎｄ−Ｃｏｄｅ  Ｄｉｖｉｓｉｏｎ  Ｍｕｌｔｉｐｌｅ  Ａｃｃｅｓｓ）方式をはじめとする第３世代移動通信システム（３Ｇ：Ｔｈｅ  ３ｒｄ  Ｇｅｎｅｒａｔｉｏｎ）が世界的に普及してきているが、現在、さらなる高速通信を実現するための次世代の移動通信システムの検討が行われている。次世代の移動通信システムとして、下りの通信速度が１００Ｍｂｐｓ〜１Ｇｂｐｓとなる第４世代移動通信システム（４Ｇ：Ｔｈｅ  ４ｔｈ  Ｇｅｎｅｒａｔｉｏｎ）が検討されてきたが、３Ｇと４Ｇではシステム構成に大きな違いがある。
【０００３】
そこで、３Ｇと４Ｇの技術的、時間的なギャップを埋め、４Ｇへのスムーズな移行を実現するために、３Ｇと同一の周波数を使用し、４Ｇの候補となっている新技術を導入して、下りの通信速度が１００Ｍｂｐｓ程度を実現するＥ−ＵＴＲＡ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ）が３ＧＰＰ（Ｔｈｅ  ３ｒｄ  Ｇｅｎｅｒａｔｉｏｎ  Ｐａｒｔｎｅｒｓｈｉｐ  Ｐｒｏｊｅｃｔ：第３世代パートナシッププロジェクト）で活発に議論されている。
【０００４】
Ｅ−ＵＴＲＡでは、下りリンクとしてＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ  Ａｃｃｅｓｓ：直交周波数分割多元接続）方式が提案されている。また、複数の変調方式や符号化率を適応的に変更するようなＡＭＣ（Ａｄａｐｔｉｖｅ  Ｍｏｄｕｌａｔｉｏｎ  ａｎｄ  Ｃｏｄｉｎｇ：適応変調方式、３ＧＰＰではＬｉｎｋ  Ａｄａｐｔａｔｉｏｎとも表現されている）という技術や、送信側、受信側共に、複数のアンテナを使用してデータの送受信を行うＭＩＭＯ（Ｍｕｌｔｉｐｌｅ  Ｉｎｐｕｔ  Ｍｕｌｔｉｐｌｅ  Ｏｕｔｐｕｔ：多入力多出力）伝送方式などが採用されている。
【０００５】
無線通信回線を設定するＲＡＣＨ（Ｒａｎｄｏｍ  Ａｃｃｅｓｓ  Ｃｈａｎｎｅｌ：ランダムアクセスチャネル）について、３Ｇでは、ランダムアクセス信号の送信タイミングは無線基地局から送信されるランダムアクセスサブチャネルとＳＦＮ（Ｓｙｓｔｅｍ  Ｆｒａｍｅ  Ｎｕｍｂｅｒ：サブフレーム番号）から決定される。
ＬＴＥ（Ｌｏｎｇ  Ｔｅｒｍ  Ｅｖｏｌｕｔｉｏｎ：３ＧＰＰの発展系）では、無線フレーム内でランダムアクセス信号を割り当て可能なＲＡＣＨスロットの位置が１６種類のＲＡＣＨ  ｓｌｏｔ  ｃｏｎｆｉｇｕｒａｔｉｏｎ（ＲＡＣＨスロットパターン）によって定義されており、ｅＮｏｄｅ  Ｂ（無線基地局装置）はセル内でどのＲＡＣＨスロットパターンを使用するかを表わす情報を報知情報で端末（移動局装置）に送信する。
報知情報を受信した端末は、受信した情報からＲＡＣＨを送信できるタイミングを認識し、通信が必要な場合、ＲＡＣＨスロットパターンで定義されたＲＡＣＨスロットのタイミングでランダムアクセスプリアンブル信号（ランダムアクセス信号）を送信する。
【０００６】
非特許文献１には、新規のＲＡＣＨスロットパターンについて記載されている。
一方、特許文献１には、無線アクセス網（ｒａｄｉｏ  ａｃｃｅｓｓ  ｎｅｔｗｏｒｋ）における上りリンク（ｕｐｌｉｎｋ）ランダムアクセスチャネルの割当方法について記載されている。
【０００７】
また、特許文献２には、伝搬損失を求め、基地局から上りスロットの占有状況と干渉量を受信し、前記伝搬損失から所望波電力を求め、前記所望波電力と前記干渉量とから前記占有状況が空きである各スロットにおける所望波電力対干渉量の比を求め、前記所望波電力対干渉量の比を用いて送信スロットを選択するスロット選択方法が記載されている。
【非特許文献１】３ＧＰＰ  Ｒ１−０７４０２６，Ｒａｎｄｏｍ  Ａｃｃｅｓｓ Ｅ−ｍａｉｌ Ｒｅｆｌｅｃｔｏｒ Ｓｕｍｍａｒｙ，Ｍｏｔｏｒｏｌａ，ＲＡＮ１＃５０−ｂｉｓ
【特許文献１】特開２００６−３３３４０４号公報
【特許文献２】特開２００１−１３６５７０号公報
【発明の開示】
【発明が解決しようとする課題】
【０００８】
しかし、従来の技術では、ランダムアクセス信号の割り当ての判定を、全ての移動局装置に対して画一的に行っているため、移動局装置各々の通信状況等によっては、ランダムアクセス信号に必要以上の帯域が割り当てられてしまう場合、又は、ランダムアクセス信号に必要な帯域が割り当てられない場合がある。
ランダムアクセス信号に必要以上の帯域が割り当てられてしまう場合、ランダムアクセス信号以外の信号の送信に用いる帯域が小さくなり、ランダムアクセス信号以外の信号の通信効率が低下するという欠点があった。一方、ランダムアクセス信号に必要な帯域が割り当てられない場合、ランダムアクセスによる接続の成功率が低下するという欠点がある。
このように、従来の技術では、移動局装置各々の通信状況等によっては、ランダムアクセス信号が適切な帯域に割り当てられず、ランダムアクセスによる接続の成功率、又は、ランダムアクセス信号以外の信号の通信効率が低下するという欠点があった。
【０００９】
本発明は上記の点に鑑みてなされたものであり、その目的は、移動局装置各々の通信状況等が異なっていても、ランダムアクセス信号を適切な帯域に割り当てることができ、ランダムアクセスによる接続の成功率、又は、ランダムアクセス信号以外の信号の通信効率を向上させることができる無線通信システム、通信装置、無線送信方法、及び無線送信プログラムを提供することにある。
【課題を解決するための手段】
【００１０】
（１）本発明は上記の課題を解決するためになされたものであり、その一態様は、ランダムアクセス信号を定められた帯域の中に割り当てて送信する第１の通信装置と、該通信装置から送信されたランダムアクセス信号を受信する第２の通信装置と、を備える無線通信システムにおいて、前記第１の通信装置は、前記帯域の組み合わせである帯域割当パターンであって、該組み合わせた帯域の大きさが、互いに異なる複数の前記帯域割当パターンの中から、帯域割当パターンを決定する帯域割当パターン決定部と、前記帯域割当パターン決定部が決定した帯域割当パターンの情報を通知する帯域割当パターン通知部と、前記帯域割当パターン決定部が決定した帯域割当パターンの帯域の中に、前記ランダムアクセス信号を割り当てる帯域割当部と、を備え、前記第２の通信装置は、前記第１の通信装置の帯域割当パターン通知部から通知された前記帯域割当パターンの情報を受信し、該帯域割当パターンの帯域を用いて、前記第１の通信装置からのランダムアクセス信号を受信する受信部を備えることを特徴とする無線通信システムである。
上記構成によると、前記無線通信システムは、前記第１の通信装置が、前記帯域割り当てパターンを決定し、決定した帯域割り当てパターンを前記第２の通信装置に通知し、前記第２の通信装置が前記第１の通信装置から通知された帯域割り当てパターンを用いて、前記第１の通信装置からのランダムアクセス信号を受信するので、前記第１の通信装置各々が異なる判定条件で前記帯域割り当てパターンを決定することができ、前記第１の通信装置各々の通信状況等が異なっていても、ランダムアクセス信号を適切な帯域に割り当てることができ、ランダムアクセスによる接続の成功率、又は、ランダムアクセス信号以外の信号の通信効率を向上させることができる。
【００１１】
（２）また、本発明の一態様は、ランダムアクセス信号を定められた帯域の中に割り当てて送信する複数の第１の通信装置と、該通信装置から送信されたランダムアクセス信号を受信する第２の通信装置と、を備える無線通信システムにおいて、前記第１の通信装置は、前記帯域の組み合わせである帯域割当パターンであって、該組み合わせた帯域の大きさが、互いに異なる複数の前記帯域割当パターンの中から、帯域割当パターンを決定する帯域割当パターン決定部と、前記帯域割当パターン決定部が決定した帯域割当パターンの情報を通知する帯域割当パターン通知部と、前記第２の通信装置の補正帯域割当パターン通知部から通知された補正帯域割当パターンの情報を受信し、該補正帯域割当パターンの帯域の中に、前記ランダムアクセス信号を割り当てる帯域割当部と、を備え、前記第２の通信装置は、前記複数の第１の通信装置の帯域割当パターン通知部から通知された帯域割当パターンの情報に基づき、前記複数の第１の通信装置各々が用いる帯域割当パターンである補正帯域割当パターンを決定する補正帯域割当パターン決定部と、前記補正帯域割当パターン決定部が決定した補正帯域割当パターンの情報を通知する補正帯域割当パターン通知部と、を備えること特徴とする無線通信システムである。
【００１２】
（３）また、本発明の一態様は、帯域割当パターン決定部は、前記第１の通信装置が送信可能な情報の送信速度を示す情報に基づいて、前記帯域割当パターンを決定すること  を特徴とする無線通信システムである。
【００１３】
（４）また、本発明の一態様は、前記第１の通信装置は、前記第２の通信装置に対して、前記ランダムアクセス信号以外の通信サービスであって、通信可能な通信速度が異なる複数種類の通信サービスの通信を行い、帯域割当パターン決定部は、通信予定の前記通信サービスの種類を示す情報に基づいて、前記帯域割当パターンを決定することを特徴とする無線通信システムである。
【００１４】
（５）また、本発明の一態様は、前記第１の通信装置は、前記第２の通信装置に対して予め定められた帯域である通信帯域を用いて通信を行い、帯域割当パターン決定部は、前記通信帯域の大きさを示す情報に基づいて、前記帯域割当パターンを決定することを特徴とする無線通信システムである。
【００１５】
（６）また、本発明の一態様は、帯域割当パターン決定部は、前記第１の通信装置と前記第２の通信装置との通信の品質情報に基づいて、前記帯域割当パターンを決定することを特徴とする無線通信システムである。
【００１６】
（７）また、本発明の一態様は、前記第１の通信装置は、前記第２の通信装置に対して通信の制御に用いる制御情報と制御情報以外のユーザ情報とを送信し、帯域割当パターン決定部は、前記ユーザ情報の情報量を示す情報に基づいて、前記帯域割当パターンを決定することを特徴とする無線通信システムである。
【００１７】
（８）また、本発明の一態様は、帯域割当パターン決定部は、前記ランダムアクセス信号の通信の成功率を示す情報に基づいて、前記帯域割当パターンを決定することを特徴とする無線通信システムである。
【００１８】
（９）また、本発明の一態様は、帯域割当パターン決定部は、第１の通信装置の電池電圧情報に基づいて、前記帯域割当パターンを決定することを特徴とする無線通信システムである。
【００１９】
（１０）ランダムアクセス信号を定められた帯域の中に割り当てて送信する通信装置において、  前記帯域の組み合わせである帯域割当パターンであって、該組み合わせた帯域の大きさが、互いに異なる複数の前記帯域割当パターンを決定する帯域割当パターン決定部と、前記帯域割当パターン決定部が決定した帯域割当パターンの情報を通知する帯域割当パターン通知部と、を備えることを特徴とする通信装置である。
【００２０】
（１１）また、本発明の一態様は、また、本発明の一態様は、ランダムアクセス信号を定められた帯域の中に割り当てて送信する通信装置における無線送信方法において、前記通信装置が、前記帯域の組み合わせである帯域割当パターンであって、該組み合わせた帯域の大きさが、互いに異なる複数の前記帯域割当パターンを決定する第１の過程と、前記通信装置が、前記第1の過程にて決定した帯域割当パターンの情報を通知する第２の過程と、を有することを特徴とする無線送信方法である。
【００２１】
（１２）また、本発明の一態様は、ランダムアクセス信号を定められた帯域の中に割り当てて送信する通信装置のコンピュータに、前記帯域の組み合わせである帯域割当パターンであって、該組み合わせた帯域の大きさが、互いに異なる複数の前記帯域割当パターンを決定する帯域割当パターン決定手段、前記帯域割当パターン決定手段にて決定した帯域割当パターンの情報を通知する帯域割当パターン通知手段、として機能させる無線送信プログラムである。
【発明の効果】
【００２２】
本発明によれば、無線通信システムは、第１の通信装置が、ランダムアクセス信号を割り当てる帯域の組み合わせである帯域割当パターンであって、該組み合わせた帯域の大きさが、互いに異なる複数の帯域割当パターンの中から、帯域割当パターンを決定し、決定した帯域割り当てパターンを第２の通信装置に通知し、第２の通信装置が第１の通信装置から通知された帯域割り当てパターンを用いて、第１の通信装置からのランダムアクセス信号を受信するので、第１の通信装置各々が異なる判定条件で帯域割り当てパターンを決定することができ、第１の通信装置各々の通信状況等が異なっていても、ランダムアクセス信号を適切な帯域に割り当てることができ、ランダムアクセスによる接続の成功率、又は、ランダムアクセス信号以外の信号の通信効率を向上させることができる。
【発明を実施するための最良の形態】
【００２３】
（第１の実施形態）
以下、図面を参照しながら本発明の第１の実施形態について説明する。図１は、この発明の第１の実施形態に係る通信システムの概念図である。
この図において、携帯電話装置Ａ１（第１の通信装置）は、基地局装置Ｂ１（第２の通信装置）のセルに在圏し、基地局装置Ｂ１と通信を行う。ここで、セルとは、基地局装置が携帯電話装置と通信可能な範囲であり、在圏とは、セルサーチ等により携帯電話装置の識別情報が基地局装置に登録され、基地局装置と該登録された携帯電話装置が通信可能になっている状態をいう。
また、携帯電話装置Ａ２と携帯電話装置Ａ３とは、基地局装置Ｂ２のセルに在圏し、基地局装置Ｂ２と通信を行う。このように、基地局装置は、複数の携帯電話装置と通信を行ってもよい。
【００２４】
本実施形態では、基地局装置Ｂ１（Ｂ２）から携帯電話装置Ａ１（Ａ２、Ａ３）への下りリンクは、下りリンク共用チャネルＰＤＳＣＨ（Ｐｈｙｓｉｃａｌ  Ｄｏｗｎｌｉｎｋ  Ｓｈａｒｅｄ  Ｃｈａｎｎｅｌ）、報知チャネルＰＢＣＨ（Ｐｈｙｓｉｃａｌ Ｂｒｏａｄｃａｓｔ Ｃｈａｎｎｅｌ）、マルチキャストチャネルＰＭＣＨ（Ｐｈｙｓｉｃａｌ Ｍｕｌｔｉｃａｓｔ Ｃｈａｎｎｅｌ）、制御フォーマット通知チャネルＰＣＦＩＣＨ（Ｐｈｙｓｉｃａｌ Ｃｏｎｔｒｏｌ Ｆｏｒｍａｔ Ｉｎｄｉｃａｔｏｒ Ｃｈａｎｎｅｌ）、下りリンク制御チャネルＰＤＣＣＨ（Ｐｈｙｓｉｃａｌ  Ｄｏｗｎｌｉｎｋ  Ｃｏｎｔｒｏｌ  Ｃｈａｎｎｅｌ）、及び、ＨＡＲＱ通知チャネルＰＨＩＣＨ（Ｐｈｙｓｉｃａｌ Ｈｙｂｒｉｄ ＡＲＱ Ｉｎｄｉｃａｔｏｒ Ｃｈａｎｎｅｌ）により構成される。
【００２５】
携帯電話装置Ａ１（Ａ２、Ａ３）から基地局装置Ｂ１（Ｂ２）への上りリンクは、ランダムアクセスチャネルＰＲＡＣＨ（Ｐｈｙｓｉｃａｌ Ｒａｎｄｏｍ  Ａｃｃｅｓｓ  Ｃｈａｎｎｅｌ）、上りリンク共用チャネルＰＵＳＣＨ（Ｐｈｙｓｉｃａｌ  Ｕｐｌｉｎｋ Ｓｈａｒｅｄ  Ｃｈａｎｎｅｌ）、及び、上りリンク制御チャネルＰＵＣＣＨ（Ｐｈｙｓｉｃａｌ  Ｕｐｌｉｎｋ  Ｃｏｎｔｒｏｌ Ｃｈａｎｎｅｌ）により構成される。
【００２６】
基地局装置Ｂ１（Ｂ２）は、該基地局装置Ｂ１（Ｂ２）のセルに在圏するすべての携帯電話装置（基地局装置Ｂ１の場合、携帯電話装置Ａ１、基地局装置Ｂ２の場合、携帯電話装置Ａ２、Ａ３）から、ランダムアクセスチャネルＲＡＣＨに割り当てられたランダムアクセス信号を受信する状態にある。
【００２７】
以下、図２と図３とを参照しながら、本実施形態に係るランダムアクセスチャネルＲＡＣＨについて説明をする。
図２は、本実施形態に係るＲＡＣＨスロットパターンテーブルの一例を示す概略図である。
【００２８】
図示するように、ＲＡＣＨスロットパターンテーブルは、行と列からなる２次元の表形式のデータであり、パターン番号、ランダムアクセス（ＲＡ）周期、及び、ランダムアクセス（ＲＡ）サブフレーム番号の各項目の列を有している。このＲＡＣＨスロットパターンテーブルの主キーは、パターン番号である。
【００２９】
ランダムアクセス周期とは、所定の時間間隔であるサブフレームの数で表わされる周期であり、ランダムアクセスサブフレーム番号は、後述するように、該周期内においてサブフレームを順序付けた番号である。
ＲＡＣＨスロットパターンテーブルの各行のデータは、ランダムアクセス信号を割り当て可能な帯域の組み合わせのパターン（ＲＡＣＨ  ｓｌｏｔ  ｃｏｎｆｉｇｕｒａｔｉｏｎ）を表わし、これをＲＡＣＨスロットパターン（帯域割当パターン）という。
【００３０】
図３は、本実施形態に係るＲＡＣＨスロットパターンを説明するための説明図である。
この図は、上りリンクの無線リソース構成を示し、横軸に時間をとり、縦軸に周波数とっている。この図において、無線リソースは、横軸（時間軸）方向に、所定の時間間隔であるサブフレームごとに区切られ、ランダムアクセス周期に対応した、ランダムアクセスサブフレーム番号が付けられている。また、無線リソースは、縦軸（周波数軸）方向に、所定の周波数間隔で区切られている。
【００３１】
帯域は、この図において区切られた無線リソースで表され、例えば、時間間隔で区切られた周波数帯域、周波数間隔で区切られた時間帯域、時間間隔と周波数間隔とで区切られた帯域がある。
この図において、ハッチングされた帯域が、ランダムアクセス信号を割り当て可能な帯域である（以下、ＲＡＣＨスロットという）。
【００３２】
例えば、図２において、パターン番号「０」のＲＡＣＨスロットパターンは、図３（ａ）で表わされたパターンである。図３（ａ）は、無線リソースに、ランダムアクセス周期「２０」ごとに、各サブフレームにサブフレーム番号０〜１９が付けられていることを表わしている。また、図３（ａ）は、無線リソースにおいて、ＲＡＣＨスロットは、ランダムアクセスサブフレーム番号「４」のサブフレームの最も周波数の大きい帯域であることを示している。
【００３３】
同様に、図３（ｂ）は、図２におけるパターン番号「１」のＲＡＣＨスロットパターンであり、ＲＡＣＨスロットは、ランダムアクセス周期「１０」ごとに、ランダムアクセスサブフレーム番号「４」のサブフレームの最も周波数の大きい帯域と最も周波数の小さい帯域とが繰り返されていることを示している。
【００３４】
また、図３（ｃ）は、図２におけるパターン番号「２」のＲＡＣＨスロットパターンであり、ＲＡＣＨスロットは、ランダムアクセス周期「５」ごとに、ランダムアクセスサブフレーム番号「２」のサブフレームの最も周波数の大きい帯域２つと最も周波数の小さい帯域２つとのパターンが繰り返されていることを示している。
【００３５】
図３（ａ）と図３（ｂ）と図３（ｃ）を比較すると、例えば、図中の先頭から２０個のサブフレームについて、ＲＡＣＨスロットの数は、それぞれ、１個と２個と４個である。
図３（ａ）で表わされるＲＡＣＨスロットパターンは、図３（ｂ）で表わされるＲＡＣＨスロットパターンより、単位時間内のＲＡＣＨスロットの数が少なく、つまり、帯域が小さい。また、図３（ｃ）で表わされるＲＡＣＨスロットパターンは、図３（ｂ）で表わされるＲＡＣＨスロットパターンより、単位時間内のＲＡＣＨスロットの数が多く、つまり、帯域が大きい。
すなわち、ＲＡＣＨスロットパターンテーブルが示すＲＡＣＨスロットパターンは、互いに、単位時間内のＲＡＣＨスロットの数（帯域の大きさ）が互いに異なる複数ＲＡＣＨスロットパターンである。
【００３６】
図４は、本実施形態に係る無線通信システムの構成を示す概略的ブロック図である。図示するように、無線通信システムは、図１中の携帯電話装置Ａ１である携帯電話装置ａ１と、図１中の基地局装置Ｂ１である基地局装置ｂ１とを備える。
【００３７】
まず、携帯電話装置ａ１について説明をする。
携帯電話装置ａ１は、アンテナ部ａ１０、受信部ａ１１、記憶部ａ１２、制御部ａ１３、及び送信部ａ１４を含んで構成される。また、携帯電話装置ａ１は、その他、携帯電話装置の一般的な公知の機能を備える。
【００３８】
受信部ａ１１は、アンテナ部ａ１０の受信アンテナから入力された受信信号を無線周波数の信号からベースバンドの信号にダウンコンバートし、次いでアナログ／デジタル変換によりデジタル信号に変換したデータを、制御部ａ１３に出力する。
制御部ａ１３は、携帯電話装置ａ１の各部を制御する。また、制御部ａ１３は、図示しない携帯電話装置ａ１のスピーカー部、マイク部等に対し、データと音声信号との間の変換を介在した後に、この音声信号について入出力を行う。
制御部ａ１３は、データ転送効率検出部ａ１３０、ＲＡＣＨスロットパターン決定部ａ１３１、ＲＡＣＨスロット割当部ａ１３２（帯域割当部）、ランダムアクセス信号生成部ａ１３３、及びＲＡＣＨスロットパターン通知部ａ１３４（帯域割当パターン通知部）を含んで構成される。
【００３９】
データ転送効率検出部ａ１３０は、データ転送効率（単位：ビット毎秒）を測定し、予め定めた時間の最大値を、最大データ転送効率（送信可能な情報の送信速度）として検出する。ただし、本発明はこれに限らず、携帯電話装置ａ１と基地局装置ｂ１とでＭＩＭＯ（Ｍｕｌｔｉｐｌｅ−Ｉｎｐｕｔ  Ｍｕｌｔｉｐｌｅ−Ｏｕｔｐｕｔ）方式の通信に用いる場合、ＭＩＭＯ方式の通信に用いるアンテナの本数に基づいて決定した最大データ転送効率を、最大データ転送効率としてもよいし、また、携帯電話装置ａ１の機能や規格によって予め定められた最大データ転送効率を、最大データ転送効率をとしてもよい。
【００４０】
ＲＡＣＨスロットパターン決定部ａ１３１は、予め最大データ転送効率とＲＡＣＨスロットパターンのパターン番号の対応を記憶し、データ転送効率検出部ａ１３０が検出した最大データ転送効率と対応するパターン番号を、ＲＡＣＨスロットパターンのパターン番号として決定する。
ここで、最大データ転送効率とＲＡＣＨスロットパターンのパターン番号との対応は、最大データ転送効率が大きくなるに従い、帯域が大きいＲＡＣＨスロットパターンのパターン番号となる対応である。
【００４１】
例えば、ＲＡＣＨスロットパターン決定部ａ１３１は、例えば、自装置がＭＩＭＯ方式の通信に対応していない場合、帯域割当の少ないＲＡＣＨスロットパターン「１」を選択する。一方、ＲＡＣＨスロットパターン決定部ａ１３１は、自装置がＭＩＭＯ方式の通信に対応し、自装置と基地局装置ｂ１との通信に用いるアンテナがそれぞれ２本の場合、ＲＡＣＨスロットパターン「２」を選択し、また、自装置と基地局装置ｂ１との通信に用いるアンテナがそれぞれ３本の場合、ＲＡＣＨスロットパターン「３」を選択する。
また、例えば、ＲＡＣＨスロットパターン決定部ａ１３１は、例えば、自装置が音声端末専用のような最大データ転送効率の低い携帯電話装置である場合、帯域割当の少ないＲＡＣＨスロットパターン「１」を選択する。また、ＲＡＣＨスロットパターン決定部ａ１３１は、自装置が高速データ通信に特化した最大データ転送効率が高いことを要求されている携帯電話装置である場合、帯域割当を多くしたＲＡＣＨスロットパターン「３」を選択する。
【００４２】
ＲＡＣＨスロット割当部ａ１３２は、ＲＡＣＨスロットパターン決定部ａ１３１が決定したＲＡＣＨスロットパターンのパターン番号に従い、ランダムアクセス信号をＲＡＣＨスロットに割り当てる。
すなわち、ＲＡＣＨスロット割当部ａ１３２は、ランダムアクセス信号を、ＲＡＣＨスロットパターン決定部ａ１３１が決定したＲＡＣＨスロットパターンのいずれかのＲＡＣＨスロットの中に割り当てる。  
【００４３】
ランダムアクセス信号生成部ａ１３３は、ランダムアクセス信号生成し、ＲＡＣＨスロット割当部ａ１３２が割り当てた帯域を使って、送信部ａ１４、アンテナ部ａ１０の送信アンテナを介し、基地局装置ｂ１に送信する。
【００４４】
ＲＡＣＨスロットパターン通知部ａ１３４は、ＲＡＣＨスロットパターン決定部ａ１３１が決定したＲＡＣＨスロットパターンのパターン番号（帯域割当パターンの情報）を基地局装置ｂ１に通知する。
【００４５】
記憶部ａ１２は、ＲＡＣＨスロットパターン候補記憶部ａ１２１と帯域割当情報記憶部ａ１２２を含んで構成される。ＲＡＣＨスロットパターン候補記憶部ａ１２１は、上述のＲＡＣＨスロットパターンテーブル（図２）を記憶する。
帯域割当情報記憶部ａ１２２は、ＲＡＣＨスロットパターン決定部ａ１３１で決定した割り当て情報（ＲＡＣＨスロットパターンのパターン番号）を、保存する部分であって、この保存データを利用して制御部のＲＡＣＨスロット割当部ａ１３２がＲＡＣＨスロットの帯域割当を行う。
【００４６】
送信部ａ１４は、制御部ａ１３から入力されたデジタル信号であるデータを、デジタル／アナログ変換によりアナログ信号に変換して送信信号として、無線周波数の信号にアップコンバートし、アンテナ部ａ１０の送信アンテナを介し、基地局装置ｂ１に送信する。また送信部ａ１４は、ＲＡＣＨスロットパターン決定部ａ１３１が決定したＲＡＣＨスロットパターンのパターン情報を、基地局装置ｂ１に送信する。
【００４７】
次に、基地局装置ｂ１について説明をする。
基地局装置ｂ１は、アンテナ部ｂ１０、受信部ｂ１１、記憶部ｂ１２、制御部ｂ１３、及び送信部ｂ１４を含んで構成される。また、基地局装置ｂ１は、その他、基地局装置の一般的な公知の機能を備える。
【００４８】
受信部ｂ１１は、アンテナ部ｂ１０の受信アンテナから入力されたランダムアクセス信号と帯域割当情報を含む受信信号を無線周波数の信号からベースバンドの信号にダウンコンバートし、次いでアナログ／デジタル変換によりデジタル信号に変換したデータを、制御部ｂ１３に出力する。
記憶部ｂ１２は、ＲＡＣＨスロットパターン候補記憶部ｂ１２１（帯域割当パターン候補記憶部）と、携帯電話装置ａ１から送信された帯域割当情報を記憶する帯域割当情報記憶部ｂ１２２と、を含んで構成される。
【００４９】
ＲＡＣＨスロットパターン候補記憶部ｂ１２１は、上述のＲＡＣＨスロットパターンテーブル（図２）を記憶する。
帯域割当情報記憶部ｂ１２２は、各携帯電話装置ａ１から通知されたランダムアクセス信号の帯域割当パターン情報（ＲＡＣＨスロットパターンのパターン番号）を記憶する。
【００５０】
制御部ｂ１３は、基地局装置ｂ１の各部を制御する。また、図示しない基地局装置ｂ１の通信部等とデータの入出力を行う。
制御部ｂ１３は、携帯電話装置ａ１から通知されたランダムアクセス信号の帯域割当パターン情報に基づいてランダムアクセス信号の受信を準備する。
【００５１】
図５は、本実施形態に係る無線通信システムの動作の一例を示すフロー図である。
まず、携帯電話装置ａ１は、予め記憶する携帯電話装置ａ１の最大データ転送効率を検出する（Ｓ１０１）。
次に、携帯電話装置ａ１は、Ｓ１０１において検出した最大データ転送効率に対応したＲＡＣＨスロットパターンのパターン番号を決定する。（Ｓ１０２）
次に、携帯電話装置ａ１は、Ｓ１０２にて決定したＲＡＣＨスロットパターンのパターン番号を、帯域割当情報記憶部ａ１２２に保存する（Ｓ１０３）。
【００５２】
次に、携帯電話装置ａ１は、Ｓ１０２にて決定したＲＡＣＨスロットパターンのパターン番号を、基地局装置ｂ１に通知する（Ｓ１０４）。
携帯電話装置ａ１は、Ｓ１０２にて決定したパターン番号のＲＡＣＨスロットパターンのＲＡＣＨスロット帯域に、ランダムアクセス信号を割り当てる（Ｓ１０５）。
その後、携帯電話装置ａ１は、ランダムアクセス信号を、Ｓ１０５で割り当てたスロットを用いて送信し、基地局装置ｂ１は、Ｓ１０４で通知されたパターン番号のＲＡＣＨスロットパターンのスロットを用いて、携帯電話装置ａ１からのランダムアクセス信号を受信する（Ｓ１０６）。
【００５３】
このように、本実実施形態によれば、無線通信システムは、携帯電話装置ａ１が、複数のＲＡＣＨスロットパターンの中から、ＲＡＣＨスロットパターンを決定し、決定したＲＡＣＨスロットパターンを基地局装置ｂ１に通知する。また、無線通信システムは、基地局装置ｂ１が携帯電話装置ａ１から通知されたＲＡＣＨスロットパターンを用いて、携帯電話装置ａ１からのランダムアクセス信号を受信するので、携帯電話装置ａ１各々が異なる判定条件でＲＡＣＨスロットパターンを決定することができ、携帯電話装置ａ１各々の通信状況等が異なっていても、ランダムアクセス信号を適切な帯域に割り当てることができ、ランダムアクセスによる接続の成功率、又は、ランダムアクセス信号以外の信号の通信効率を向上させることができる。
【００５４】
（第２の実施形態）
以下、図面を参照しながら本発明の第２の実施形態について説明する。
第１の実施形態では、無線通信システムは、携帯電話装置ａ１の最大データ転送効率に基づき、ＲＡＣＨスロットパターンを決定した。
本実施形態による無線通信システムでは、通信可能な通信速度が異なる複数種類の通信サービスの通信を行い、携帯電話装置が利用する通信サービスに基づきＲＡＣＨスロットパターンを決定する。なお、本実施形態による通信システムの概念図は、第１の実施形態の図１と同じである。
【００５５】
図６は、この発明の第２の実施形態に係る無線通信システムの構成を示す概略的ブロック図である。図示するように、無線通信システムは、図１中の携帯電話装置Ａ１である携帯電話装置ａ２と、図１中の基地局装置Ｂ１である基地局装置ｂ１とを備える。
本実施形態による無線通信システム（図６）と、第１の実施形態による無線通信システム（図４）を比較すると、基地局装置ｂ１が持つ機能は第１の実施形態と同じであるので、基地局装置ｂ１についての説明は省略する。
【００５６】
以下、携帯電話装置ａ２について説明する。
本実施形態による携帯電話装置ａ２（図６）と、第１の実施形態による携帯電話装置ａ１（図４）を比較すると、記憶部ａ２２と制御部ａ２３が異なる。しかし、他の構成要素（アンテナ部ａ１０、受信部ａ１１、及び送信部ａ１４）が持つ機能は第１の実施形態と同じであるので、第１の実施形態と同じ機能の説明は省略する。
【００５７】
記憶部ａ２２は、ＲＡＣＨスロットパターン候補記憶部ａ１２１、帯域割当情報記憶部ａ１２２、及びサービス情報帯域割当記憶部ａ２２３を含んで構成される。ＲＡＣＨスロットパターン候補記憶部ａ１２１、及び帯域割当情報記憶部ａ１２２が持つ機能は、第１の実施形態と同じであるので、説明は省略する。
サービス情報帯域割当記憶部ａ２２３は、サービスの種別（通信サービスの種類）と、ＲＡＣＨスロットパターンのパターン番号と、を対応付けたサービス情報ファイルを記憶する。
【００５８】
図７は、サービス情報帯域割当記憶部ａ２２３が記憶するサービス情報ファイルの一例を示す。図７のサービス情報ファイルは、サービス種別と、パターン番号の各項目から構成されている。例えば、図７のサービス情報ファイルは、利用するサービス種別「音声サービス」に対してパターン番号「１」、が対応付けられていることを示している。
また、図７のサービス情報ファイルは、データ通信サービスで高速データ通信を行うサービス種別を示す「データ通信サービス（高速）」に対して、「音声サービス」に対応付けられたパターン番号「１」のＲＡＣＨスロットパターンに比べ、単位時間内のＲＡＣＨスロット数が多い、つまり、帯域が大きいＲＡＣＨスロットパターンのパターン番号「３」が対応付けられていることを示している。
このように、サービス情報ファイルでは、データ転送効率が大きいサービスになるに従い、帯域が大きいＲＡＣＨスロットパターンのパターン番号が対応付けられている。
【００５９】
図６において、制御部ａ２３は、サービス種別検出部ａ２３０、ＲＡＣＨスロットパターン決定部ａ２３１、ＲＡＣＨスロット割当部ａ１３２（帯域割当部）、ランダムアクセス信号生成部ａ１３３、及びＲＡＣＨスロットパターン通知部ａ１３４を含んで構成される。
ＲＡＣＨスロット割当部ａ１３２、ランダムアクセス信号生成部ａ１３３、及びＲＡＣＨスロットパターン通知部ａ１３４、が持つ機能は、第１の実施形態と同じであるので、説明は省略する。
【００６０】
サービス種別検出部ａ２３０は、上位レイヤから、自装置が利用するサービス種別を読み込み、ＲＡＣＨスロットパターン決定部ａ２３１に出力する。この場合の上位レイヤとは、携帯電話装置ａ２のＲＲＣ層やＭＡＣ層のことである。
【００６１】
ＲＡＣＨスロットパターン決定部ａ２３１は、サービス情報帯域割当記憶部ａ２２３が記憶するサービス情報ファイルにおいて、サービス種別検出部ａ２３０から入力されたサービス種別に対応するパターン番号を、ＲＡＣＨスロットパターンのパターン番号として決定する。
【００６２】
例えば、ＲＡＣＨスロットパターン決定部ａ２３１は、サービス種別検出部ａ２３０からサービス種別「音声通話」が入力された場合、ＲＡＣＨスロットパターンを、図７において「音声通話サービス」に対応するパターン番号「１」のＲＡＣＨスロットパターンに決定する。
また、ＲＡＣＨスロットパターン決定部ａ２３１は、サービス種別検出部ａ２３０からサービス種別「データ通信サービス」が入力された場合、パターン番号「３」のＲＡＣＨスロットパターンに決定する。
すなわち、ＲＡＣＨスロットパターン決定部ａ２３１は、利用するサービスに基づいて、サービス情報帯域割当記憶部ａ２２３が記憶するＲＡＣＨスロットパターンの中から、ＲＡＣＨスロットパターンを決定する。
【００６３】
図８は、本実施形態に係る無線通信システムの動作の一例を示すフロー図である。
まず、携帯電話装置ａ２は、サービス種別を検出する（Ｓ２０１）。
次に、携帯電話装置ａ２は、サービス情報ファイル（図７）を参照し、Ｓ２０１において検出したサービス種別に対応したＲＡＣＨスロットパターンの番号を決定する（Ｓ２０２）。
【００６４】
次に、携帯電話装置ａ２は、Ｓ２０２にて決定したＲＡＣＨスロットパターンのパターン番号を、帯域割当情報記憶部ａ１２２に保存する（Ｓ２０３）。
次に、携帯電話装置ａ２は、Ｓ２０２にて決定したＲＡＣＨスロットパターンのパターン番号を、基地局装置ｂ１に通知する（Ｓ２０４）。
【００６５】
携帯電話装置ａ２は、Ｓ２０３にて決定したパターン番号のＲＡＣＨスロットパターンのＲＡＣＨスロット帯域に、ランダムアクセス信号を割り当てる（Ｓ２０５）。
その後、携帯電話装置ａ２は、携帯電話装置ａ３は、ランダムアクセス信号を、Ｓ２０５で割り当てたスロットを用いて送信し、基地局装置ｂ１は、Ｓ２０４で通知されたパターン番号のＲＡＣＨスロットパターンのスロットを用いて、携帯電話装置ａ３からのランダムアクセス信号を受信する（Ｓ２０６）。
【００６６】
このように、本実施形態によれば、無線通信システムは、携帯電話装置ａ２が、複数のＲＡＣＨスロットパターンの中から、ＲＡＣＨスロットパターンを決定し、決定したＲＡＣＨスロットパターンを基地局装置ｂ１に通知する。また、無線通信システムは、基地局装置ｂ１が、携帯電話装置ａ２から通知されたＲＡＣＨスロットパターンを用いて、携帯電話装置ａ２からのランダムアクセス信号を受信するので、携帯電話装置ａ２各々が異なる判定条件でＲＡＣＨスロットパターンを決定することができ、携帯電話装置ａ２各々の通信状況等が異なっていても、ランダムアクセス信号を適切な帯域に割り当てることができ、ランダムアクセスによる接続の成功率、又は、ランダムアクセス信号以外の信号の通信効率を向上させることができる。
【００６７】
＜変形例＞
上記第２の実施形態では、携帯電話装置ａ２が、音声サービスやデータ通信サービスなどのサービス種別に基づいてＲＡＣＨスロットパターンを決定したが、携帯電話装置ａ２がサービスで利用する周波数帯域幅に基づいてＲＡＣＨスロットパターンを決定しても良い。
例えば、携帯電話装置ａ２が、狭帯域の周波数帯域を利用する場合と、広帯域の周波数を利用する場合において、ＲＡＣＨスロットパターンを切り替える。
【００６８】
以下、図９、図１０を用いて本実施形態の変形例について説明をする。
図９は、本実施形態の変形例に係る無線通信システムの構成を示す概略的ブロック図である。
本変形例による無線通信システム（図９）と、上記第２の実施形態による無線通信システム（図１０）を比較すると、周波数帯域割当記憶部ａ２２３１、周波数帯域検出部ａ２３０１、及びＲＡＣＨスロットパターン決定部ａ２３１１が異なる。しかし、他の構成要素（基地局装置ｂ１、受信部ａ１１、送信部ａ１４、帯域割当情報記憶部ａ１２２、ＲＡＣＨスロット割当部ａ１３２、ランダムアクセス信号生成部ａ１３３、及びＲＡＣＨスロットパターン通知部ａ１３４）が持つ機能は上記第２の実施形態と同じであるので、上記第２の実施形態と同じ機能の説明は省略する。
【００６９】
周波数帯域割当記憶部ａ２２３１は、周波数帯域と、パターン番号と、を対応付けた周波数帯域情報ファイルを記憶する。
図１０は、サービス情報帯域割当記憶部ａ２２３が記憶するサービス情報ファイルの一例を示す。
【００７０】
図１０の周波数帯域情報ファイルは、周波数帯域と、パターン番号の各項目から構成されている。例えば、図７の周波数帯域情報ファイルは、周波数帯域「１．２５ＭＨｚ以上５ＭＨｚ未満」に対してパターン番号「１」、が対応付けられていることを示している。
また、図１０の周波数帯域情報ファイルは、周波数帯域「２０ＭＨｚ以上」に対して、「１．２５ＭＨｚ以上５ＭＨｚ未満」に対応付けられたパターン番号「１」のＲＡＣＨスロットパターンに比べ、単位時間内のＲＡＣＨスロット数が多い、つまり、帯域が大きいＲＡＣＨスロットパターンのパターン番号「４」が対応付けられていることを示している。
【００７１】
図９において、周波数帯域検出部ａ２３０１は、予め基地局装置ｂ１から通知され、予め記憶する自装置が利用するサービス種別を読み込み、ＲＡＣＨスロットパターン決定部ａ２３１１に出力する。
ＲＡＣＨスロットパターン決定部ａ２３１１は、周波数帯域割当記憶部ａ２２３１の記憶する周波数帯域情報ファイルにおいて、周波数帯域検出部ａ２３０１から入力されたサービス種別に対応するパターン番号を、ＲＡＣＨスロットパターンのパターン番号として決定する。
【００７２】
例えば、ＲＡＣＨスロットパターン決定部ａ２３１１は、周波数帯域検出部ａ２３０１から「１．５ＭＨｚ」が入力された場合、ＲＡＣＨスロットパターンを、図１０において音声通話サービスに対応するパターン番号「１」のＲＡＣＨスロットパターンに決定する。
また、ＲＡＣＨスロットパターン決定部ａ２３１１は、周波数帯域検出部ａ２３０１から「２０ＭＨｚ」が入力された場合、ＲＡＣＨスロットパターンを、図１０において音声通話サービスに対応するパターン番号「４」のＲＡＣＨスロットパターンに決定する。
すなわち、ＲＡＣＨスロットパターン決定部ａ２３１１は、利用するサービスに基づいて、サービス情報帯域割当記憶部ａ２２３が記憶するＲＡＣＨスロットパターンの中から、ＲＡＣＨスロットパターンを決定する。
つまり、携帯電話装置ａ２は、周波数帯域幅の広いサービスを利用する場合、ランダムアクセス信号の帯域を増やしても、他のデータの帯域が充分に確保できるため、ランダムアクセス信号以外の通信に対して影響がなくスムーズな通信が可能となる。
【００７３】
（第３の実施形態）
以下、図面を参照しながら本発明の第３の実施形態について説明する。
第１の実施形態では、無線通信システムは、携帯電話装置ａ１の最大データ転送効率に基づき、ＲＡＣＨスロットパターンを決定した。本実施形態による無線通信システムでは、携帯電話装置が基地局装置との通信における誤り率（通信の品質情報）に基づき、ＲＡＣＨスロットパターンを決定する。また、本実施形態による通信システムの概念図は、第１の実施形態の図１と同じである。
【００７４】
図１１は、この発明の第３の実施形態に係る無線通信システムの構成を示す概略的ブロック図である。図示するように、無線通信システムは、図１中の携帯電話装置Ａ１である携帯電話装置ａ３と、図１中の基地局装置Ｂ１である基地局装置ｂ１とを備える。
本実施形態による無線通信システム（図１１）と、第１の実施形態による無線通信システム（図４）を比較すると、基地局装置ｂ１が持つ機能は第１の実施形態と同じであるので、説明は省略する。
【００７５】
携帯電話装置ａ３について説明をする。本実施形態による携帯電話装置ａ３（図１１）と、第１の実施形態による携帯電話装置ａ１（図４）を比較すると、記憶部ａ３２と制御部ａ３３とが異なる。しかし、他の構成要素（アンテナ部ａ１０、受信部ａ１１、及び送信部ａ１４）が持つ機能は第１の実施形態と同じであるので、第１の実施形態と同じ機能の説明は省略する。
【００７６】
記憶部ａ３２は、ＲＡＣＨスロットパターン候補記憶部ａ１２１、帯域割当情報記憶部ａ１２２、及び通信状況帯域割当記憶部ａ３２３を含んで構成される。ＲＡＣＨスロットパターン候補記憶部ａ１２１、及び帯域割当情報記憶部ａ１２２が持つ機能は、第１の実施形態と同じであるので、説明は省略する。
通信状況帯域割当記憶部ａ３２３は、携帯電話装置ａ３と基地局装置ｂ１との通信における誤り率と、ＲＡＣＨスロットパターンのパターン番号と、を対応付けた通信状況ファイルを記憶する。
【００７７】
図１２は、通信状況帯域割当記憶部ａ３２３が記憶する通信状況ファイルの一例を示す。図１２の通信状況ファイルは、誤り率と、パターン番号の各項目から構成されている。ここで、誤り率は、５つのクラスに分類され、クラスの番号が大きくなるほど、誤り率が小さい。なお、本実施形態では、誤り率は５つのクラスに分類されているが、本発明はこれに限られない。
【００７８】
例えば、図１２の通信状況ファイルは、通信状況「クラス２」に対してパターン番号「１」、が対応付けられていることを示している。
また、図１２の通信状況ファイルは、「クラス２」より誤り率が高い「クラス４」に対して、パターン番号「１」より、帯域が大きさＲＡＣＨスロットパターンのパターン番号「３」、が対応付けられていることを示している。
このように、通信状況ファイルでは、誤り率が高く（通信の品質が低く）、つまりクラスが大きくなる従い、帯域が大きいＲＡＣＨスロットパターンのパターン番号が対応付けられている。
【００７９】
図１１において、制御部ａ３３は、通信状況検出部ａ３３０、ＲＡＣＨスロットパターン決定部ａ３３１、ＲＡＣＨスロット割当部ａ１３２、ランダムアクセス信号生成部ａ１３３、及びＲＡＣＨスロットパターン通知部ａ１３４を含んで構成される。
ＲＡＣＨスロット割当部ａ１３２、ランダムアクセス信号生成部ａ１３３、及びＲＡＣＨスロットパターン通知部ａ１３４、が持つ機能は、第１の実施形態と同じであるので、説明は省略する。
【００８０】
通信状況検出部ａ３３２は、基地局装置ｂ１と携帯電話装置ａ３との通信の誤り率を検出する。
具体的に、通信状況検出部ａ３３２は、通信手順において信号の送信回数、及び再送信回数を数え、単位時間について、再送信回数を送信回数で除算した値を誤り率として検出する。
通信状況検出部ａ３３２は、検出した誤り率をＲＡＣＨスロットパターン決定部ａ３３１に出力する。
【００８１】
ＲＡＣＨスロットパターン決定部ａ３３１は、通信状況検出部ａ３３２から入力された誤り率についてクラスを選択する。
ＲＡＣＨスロットパターン決定部ａ３３１は、通信状況帯域割当記憶部ａ３２３が記憶する通信状況ファイルにおいて、選択した誤り率のクラスに対応するパターン番号を、ＲＡＣＨスロットパターンのパターン番号として決定する。
【００８２】
例えば、ＲＡＣＨスロットパターン決定部ａ３３１は、誤り率「クラス２」を選択した場合、ＲＡＣＨスロットパターンを、図１２において「クラス２」に対応するパターン番号「１」のＲＡＣＨスロットパターンに決定する。
また、ＲＡＣＨスロットパターン決定部ａ３３１は、誤り率「クラス４」を選択した場合、パターン番号「３」のＲＡＣＨスロットパターンに決定する。
【００８３】
図１３は、本実施形態に係る無線通信システムの動作の一例を示すフロー図である。
まず、携帯電話装置ａ３は、誤り率を検出する（Ｓ３０１）。
次に、携帯電話装置ａ３は、通信状況ファイル（図１２）を参照し、Ｓ３０１において検出した誤り率のクラスに対応したＲＡＣＨスロットパターンの番号を決定する。（Ｓ３０２）。
【００８４】
次に、携帯電話装置ａ３は、Ｓ３０２にて決定したＲＡＣＨスロットパターンのパターン番号を、帯域割当情報記憶部ａ１２２に保存する（Ｓ３０３）。
次に、携帯電話装置ａ３は、Ｓ３０２にて決定したＲＡＣＨスロットパターンのパターン番号を、基地局装置ｂ１に通知する（Ｓ３０４）。
【００８５】
携帯電話装置ａ３は、Ｓ３０３にて決定したパターン番号のＲＡＣＨスロットパターンのＲＡＣＨスロット帯域に、ランダムアクセス信号を割り当てる（Ｓ３０５）。
その後、携帯電話装置ａ３は、ランダムアクセス信号を、Ｓ３０５で割り当てたスロットを用いて送信し、基地局装置ｂ１は、Ｓ３０４で通知されたパターン番号のＲＡＣＨスロットパターンのスロットを用いて、携帯電話装置ａ３からのランダムアクセス信号を受信する（Ｓ３０６）。
【００８６】
なお、本実施形態では、誤り率に基づいてＲＡＣＨスロットパターンのパターン番号を決定した。しかし、本発明はこれに限らず、携帯電話装置ａ３と基地局装置ｂ１との通信の品質情報として、受信レベル、基地局装置ａ３から携帯電話装置まで間における電力損失の情報、ランダムアクセス信号の通信成功率・失敗率に基づいて、ＲＡＣＨスロットパターンのパターン番号を決定してもよい。
例えば、受信レベルが高い場合、通信の品質は高く、携帯電話装置ａ３は、帯域が大きいＲＡＣＨスロットパターンのパターン番号を選択する。また、例えば、基地局装置ａ３から携帯電話装置まで間における電力損失が低い場合、通信の品質は高く、携帯電話装置ａ３は、帯域が大きいＲＡＣＨスロットパターンのパターン番号を選択する。また、例えば、ランダムアクセス信号の通信成功率が高い（ランダムアクセス信号の失敗率が低い）場合、通信の品質は高く、携帯電話装置ａ３は、帯域が大きいＲＡＣＨスロットパターンのパターン番号を選択する。
【００８７】
このように、本実施形態によれば、無線通信システムは、携帯電話装置ａ３が、複数のＲＡＣＨスロットパターンの中から、ＲＡＣＨスロットパターンを決定し、決定したＲＡＣＨスロットパターンを基地局装置ｂ１に通知する。また、無線通信システムは、基地局装置ｂ１が、携帯電話装置ａ３から通知されたＲＡＣＨスロットパターンを用いて、携帯電話装置ａ３からのランダムアクセス信号を受信するので、携帯電話装置ａ３各々が異なる判定条件でＲＡＣＨスロットパターンを決定することができ、携帯電話装置ａ３各々の通信状況等が異なっていても、ランダムアクセス信号を適切な帯域に割り当てることができ、ランダムアクセスによる接続の成功率、又は、ランダムアクセス信号以外の信号の通信効率を向上させることができる。
例えば、携帯電話装置ａ３は、通信品質が低い環境下では、ランダムアクセス信号の成功率を上げるためＲＡＣＨスロット割当を多くとり、通信品質が高い環境下では、ランダムアクセス信号に割り当てるＲＡＣＨスロット帯域を少なくして、他の通信に割り当て可能な帯域を増やすことができ、高い接続品質の確保や高いスループットを得ることができる。
【００８８】
（第４の実施形態）
以下、図面を参照しながら本発明の第４の実施形態について説明する。
第１の実施形態では、無線通信システムは、携帯電話装置ａ１の最大データ転送効率に基づき、ＲＡＣＨスロットパターンを決定した。本実施形態による無線通信システムでは、携帯電話装置が自装置の電池電圧状況に基づき、ＲＡＣＨスロットパターンを決定する。また、本実施形態による通信システムの概念図は、第１の実施形態の図１と同じである。
【００８９】
図１４は、この発明の第４の実施形態に係る無線通信システムの構成を示す概略的ブロック図である。図示するように、無線通信システムは、図１中の携帯電話装置Ａ１である携帯電話装置ａ４と、図１中の基地局装置Ｂ１である基地局装置ｂ１とを備える。
本実施形態による無線通信システム（図１４）と、第１の実施形態による無線通信システム（図４）を比較すると、基地局装置ｂ１が持つ機能は第１の実施形態と同じであるので、説明は省略する。
【００９０】
携帯電話装置ａ４について説明をする。本実施形態による携帯電話装置ａ４（図１４）と、第１の実施形態による携帯電話装置ａ１（図４）を比較すると、記憶部ａ４２と制御部ａ４３とが異なる。しかし、他の構成要素（アンテナ部ａ１０、受信部ａ１１、及び送信部ａ１４）が持つ機能は第１の実施形態と同じであるので、第１の実施形態と同じ機能の説明は省略する。
【００９１】
記憶部ａ４２は、ＲＡＣＨスロットパターン候補記憶部ａ１２１、帯域割当情報記憶部ａ１２２、及び電池電圧帯域割当記憶部ａ４２３を含んで構成される。ＲＡＣＨスロットパターン候補記憶部ａ１２１、及び帯域割当情報記憶部ａ１２２が持つ機能は、第１の実施形態と同じであるので、説明は省略する。
電池電圧帯域割当記憶部ａ４２３は、携帯電話装置ａ４の電源電圧と、ＲＡＣＨスロットパターンのパターン番号と、を対応付けた電源電圧ファイルを記憶する。
【００９２】
図１５は、通信状況帯域割当記憶部ａ３２３が記憶する電源電圧ファイルの一例を示す。
図１５の電源電圧ファイルは、電源電圧と、パターン番号の各項目から構成されている。ここで、電源電圧は、３段階の電源電圧の範囲であるクラスに分類され、クラスの番号が大きくなるほど、電源電圧が高い。なお、本実施形態では、電源電圧は３段階の電源電圧の範囲に分類されているが、本発明はこれに限られない。
【００９３】
例えば、図１５の通信状況ファイルは、電源電圧が３．７Ｖ（ボルト）〜４．０Ｖの範囲であることを示す電源電圧のクラス「中」に対してパターン番号「１」、が対応付けられていることを示している。
【００９４】
図１４において、制御部ａ４３は、電池電圧検出部ａ４３０、ＲＡＣＨスロットパターン決定部ａ４３１、ＲＡＣＨスロット割当部ａ１３２、ランダムアクセス信号生成部ａ１３３、及びＲＡＣＨスロットパターン通知部ａ１３４を含んで構成される。
ＲＡＣＨスロット割当部ａ１３２、ランダムアクセス信号生成部ａ１３３、及びＲＡＣＨスロットパターン通知部ａ１３４、が持つ機能は、第１の実施形態と同じであるので、説明は省略する。
【００９５】
電池電圧検出部ａ４３２は、携帯電話装置ａ４の電池電圧を検出する機能を備える。電池電圧検出部ａ４３２は、検出した電池電圧をＲＡＣＨスロットパターン決定部ａ４３１に出力する。
【００９６】
ＲＡＣＨスロットパターン決定部ａ４３１は、電池電圧検出部ａ４３２から入力された電池電圧についてクラスを選択する。
ＲＡＣＨスロットパターン決定部ａ４３１は、電池電圧帯域割当記憶部ａ４２３が記憶する電源電圧ファイルにおいて、選択した電池電圧のクラス対応するパターン番号を、ＲＡＣＨスロットパターンのパターン番号として決定する。
【００９７】
例えば、電池電圧検出部ａ４３２が電源電圧「３．９」Ｖを検出した場合、ＲＡＣＨスロットパターン決定部ａ４３１は、電源電圧のクラス「中」を選択する。ＲＡＣＨスロットパターン決定部ａ４３１は、ＲＡＣＨスロットパターンを、図１５において、電源電圧のクラス「中」に対応するパターン番号「１」のＲＡＣＨスロットパターンに決定する。
【００９８】
図１６は、本実施形態に係る無線通信システムの動作の一例を示すフロー図である。
まず、携帯電話装置ａ４は、電池電圧を検出する（Ｓ４０１）。
次に、携帯電話装置ａ４は、Ｓ４０１において検出した電源電圧のクラスに対応したＲＡＣＨスロットパターンの番号を決定する（Ｓ４０２）。
【００９９】
次に、携帯電話装置ａ４は、Ｓ４０２にて決定したＲＡＣＨスロットパターンのパターン番号を、帯域割当情報記憶部ａ１２２に保存する（Ｓ４０３）。
次に、携帯電話装置ａ４は、電源電圧ファイル（図１５）を参照し、Ｓ４０２にて決定したＲＡＣＨスロットパターンのパターン番号を、基地局装置ｂ１に通知する（Ｓ４０４）。
【０１００】
携帯電話装置ａ４は、Ｓ４０３にて決定したパターン番号のＲＡＣＨスロットパターンのＲＡＣＨスロット帯域に、ランダムアクセス信号を割り当てる（Ｓ４０５）。
その後、携帯電話装置ａ４は、ランダムアクセス信号を、Ｓ４０５で割り当てたスロットを用いて送信し、基地局装置ｂ１は、Ｓ４０４で通知されたパターン番号のＲＡＣＨスロットパターンのスロットを用いて、携帯電話装置ａ４からのランダムアクセス信号を受信する（Ｓ４０６）
【０１０１】
このように、本実施形態によれば、無線通信システムは、携帯電話装置ａ４が、複数のＲＡＣＨスロットパターンの中から、ＲＡＣＨスロットパターンを決定し、決定したＲＡＣＨスロットパターンを基地局装置ｂ１に通知する。また、無線通信システムは、基地局装置ｂ１が、携帯電話装置ａ４から通知されたＲＡＣＨスロットパターンを用いて、携帯電話装置ａ４からのランダムアクセス信号を受信するので、携帯電話装置ａ４各々が異なる判定条件でＲＡＣＨスロットパターンを決定することができ、携帯電話装置ａ４各々の通信状況等が異なっていても、ランダムアクセス信号を適切な帯域に割り当てることができ、ランダムアクセスによる接続の成功率、又は、ランダムアクセス信号以外の信号の通信効率を向上させることができる。
【０１０２】
また、無線通信システムは、携帯電話装置ａ４が、自装置の電池電圧が低下した場合、ランダムアクセス信号の割当帯域を減らして、ランダムアクセス信号の送信を少なくすることにより、ランダムアクセス信号の送信に消費する電力を削減することができ、携帯電話装置ａ４の電池残量が少なくなってきた場合に、使用時間を延ばすことができる。
また、無線通信システムは、携帯電話装置ａ４が、自装置の電池電圧が高い場合、ランダムアクセス信号の割当帯域を増やして、ランダムアクセス信号の送信を多くすることにより、ランダムアクセス処理が成功するまでの時間を短縮することができる。
【０１０３】
（第５の実施形態）
以下、図面を参照しながら本発明の第５の実施形態について説明する。
上記第１の実施形態から第４の実施形態では、無線通信システムは、携帯電話装置ａ１〜ａ４は、それぞれ、ＲＡＣＨスロットパターン決定部ａ１３１〜ａ４３１が決定したＲＡＣＨスロットパターンのパターン番号に従い、ランダムアクセス信号を、ＲＡＣＨスロットに割り当てて、基地局装置ｂ１に送信した。
本実施形態による無線通信システムでは、携帯電話装置が決定したＲＡＣＨスロットパターンのパターン番号を基地局装置に送信する。また、基地局装置が携帯電話装置から受信したＲＡＣＨスロットパターンのパターン番号を補正する場合、基地局装置が補正後のＲＡＣＨスロットパターンのパターン番号を送信する。また、携帯電話装置が、基地局装置から受信したＲＡＣＨスロットパターンのパターン番号に従ってランダムアクセス信号をＲＡＣＨスロットに割り当てて基地局装置に送信する。
なお、通信システムの概念図は、第１の実施形態の図１と同じである。
【０１０４】
図１７は、この発明の第５の実施形態に係る無線通信システムの構成を示す概略的ブロック図である。図示するように、無線通信システムは、図１中の携帯電話装置Ａ１である携帯電話装置ａ５と、図１中の基地局装置Ｂ１である基地局装置ｂ５とを備える。
【０１０５】
まず、携帯電話装置ａ５について説明をする。
本実施形態による携帯電話装置ａ５（図１７）と、第１の実施形態による携帯電話装置ａ３（図１１）を比較すると、記憶部ａ５２と制御部ａ５３とが異なる。しかし、他の構成要素（アンテナ部ａ１０、受信部ａ１１、及び送信部ａ１４）が持つ機能は第３の実施形態と同じであるので、第３の実施形態と同じ機能の説明は省略する。
【０１０６】
記憶部ａ５２は、ＲＡＣＨスロットパターン候補記憶部ａ１２１、帯域割当情報記憶部ａ５２２、及び通信状況帯域割当記憶部ａ３２３を含んで構成される。ＲＡＣＨスロットパターン候補記憶部ａ１２１、及び通信状況帯域割当記憶部ａ３２３が持つ機能は、第３の実施形態と同じであるので、説明は省略する。
帯域割当情報記憶部ａ５２２は、基地局装置ｂ５から受信部ａ１１を介して受信した後述する補正ＲＡＣＨスロットパターンのパターン番号を、保存する部分であって、この保存データを利用して制御部のＲＡＣＨスロット割当部ａ５３２がＲＡＣＨスロットの帯域割当を行う。
【０１０７】
制御部ａ５３は、通信状況検出部ａ３３０、ＲＡＣＨスロットパターン決定部ａ３３１、ＲＡＣＨスロット割当部ａ５３２、ランダムアクセス信号生成部ａ１３３、及びＲＡＣＨスロットパターン通知部ａ１３４を含んで構成される。
ＲＡＣＨスロット割当部ａ５３２は、帯域割当情報記憶部ａ５２２が記憶する補正ＲＡＣＨスロットパターンのパターン番号であって、基地局装置ｂ５から受信したＲＡＣＨスロットパターンのパターン番号に従い、ランダムアクセス信号をＲＡＣＨスロットに割り当てる。
【０１０８】
次に、基地局装置ｂ５について説明をする。
本実施形態による基地局装置ｂ５（図１７）と、第３の実施形態による基地局装置ｂ１（図１１）を比較すると、記憶部ｂ５２と制御部ｂ５３とが異なる。しかし、他の構成要素（アンテナ部ｂ１０、受信部ｂ１１、及び送信部ｂ１４）が持つ機能は第３の実施形態と同じであるので、第３の実施形態と同じ機能の説明は省略する。
【０１０９】
記憶部ｂ５２は、ＲＡＣＨスロットパターン候補記憶部ｂ１２１、帯域割当情報記憶部ｂ５２２、及び移動局情報記憶部ｂ５２１、を含んで構成される。ＲＡＣＨスロットパターン候補記憶部ｂ１２１が持つ機能は、第３の実施形態と同じであるので、説明は省略する。
移動局情報記憶部ｂ５２１は、複数の携帯電話装置ａ５から送信されるＲＡＣＨスロットパターンのパターン番号を記憶する。
帯域割当情報記憶部ｂ５２２は、後述するＲＡＣＨスロットパターン補正部ｂ５３１が補正したランダムアクセス信号の帯域割当パターン情報（ＲＡＣＨスロットパターンのパターン番号）を記憶する。
【０１１０】
制御部ｂ５３は、ＲＡＣＨスロットパターン補正部ｂ５３１（補正帯域割当パターン決定部）、補正ＲＡＣＨスロットパターン通知部ｂ５３２を含んで構成される。
ＲＡＣＨスロットパターン補正部ｂ５３１は、ＲＡＣＨスロットパターンのパターン番号ごとに、該パターン番号の帯域を割り当てる携帯電話装置ａ５の最大数であるパターン割当最大数を、予め記憶する。ＲＡＣＨスロットパターン補正部ｂ５３１は、移動局情報記憶部ｂ５２１が記憶する複数の携帯電話装置ａ５から送信されるＲＡＣＨスロットパターンのパターン番号を、着信順に読込み、パターン番号ごとに携帯電話装置ａ５の数を算出する。
【０１１１】
ＲＡＣＨスロットパターン補正部ｂ５３１は、算出した携帯電話装置ａ５の数が予め記憶するパターン割当最大数より小さい場合、通知されたＲＡＣＨスロットパターンのパターン番号を補正せず、そのまま、帯域割当情報記憶部ｂ５２２に記憶させる。
一方、ＲＡＣＨスロットパターン補正部ｂ５３１は、算出した携帯電話装置ａ５の数が予め記憶するパターン割当最大数を超えた場合、それ以降にＲＡＣＨスロットパターンのパターン番号を受信した携帯電話装置ａ５について、ＲＡＣＨスロットパターンのパターン番号を、他のパターン番号に補正する。ＲＡＣＨスロットパターン補正部ｂ５３１は、補正後のＲＡＣＨスロットパターン（補正帯域割当パターン）のパターン番号（補正ＲＡＣＨスロットパターンのパターン番号という）を、帯域割当情報記憶部ｂ５２２に記憶させる。
なお、ＲＡＣＨスロットパターン補正部ｂ５３１が行う補正方法はこれに限らず、他の方法であってもよい。
【０１１２】
補正ＲＡＣＨスロットパターン通知部ｂ５３２は、帯域割当情報記憶部ｂ５２２に記憶された補正ＲＡＣＨスロットパターンのパターン番号を携帯電話装置ａ５に通知する。
【０１１３】
図１８は、本実施形態に係る無線通信システムの動作の一例を示すフロー図である。
まず、携帯電話装置ａ５は、誤り率を検出する（Ｓ５０１）。
次に、携帯電話装置ａ５は、Ｓ５０１において検出した誤り率のクラスに対応したＲＡＣＨスロットパターンの番号を決定する（Ｓ５０２）。
【０１１４】
次に、携帯電話装置ａ５は、Ｓ５０２にて決定したＲＡＣＨスロットパターンのパターン番号を、基地局装置ｂ５に通知する（Ｓ５０３）。
基地局装置ｂ５は、予め定めた条件に合致する場合、ＲＡＣＨスロットパターンのパターン番号を、補正ＲＡＣＨスロットパターンのパターン番号に補正する（Ｓ５０４）。
基地局装置ｂ５は、補正ＲＡＣＨスロットパターンのパターン番号を、携帯電話装置ａ５に通知する（Ｓ５０５）。
【０１１５】
次に、携帯電話装置ａ５は、Ｓ５０４にて通知されたＲＡＣＨスロットパターンのパターン番号を、帯域割当情報記憶部ａ５２２に保存する（Ｓ５０６）。
携帯電話装置ａ５は、Ｓ５０４にて通知されたパターン番号のＲＡＣＨスロットパターンのＲＡＣＨスロット帯域に、ランダムアクセス信号を割り当てる（Ｓ５０７）。
その後、携帯電話装置ａ５は、ランダムアクセス信号を、Ｓ５０７で割り当てたスロットを用いて送信し、基地局装置ｂ５は、Ｓ５０４にて補正したパターン番号のＲＡＣＨスロットパターンのスロットを用いて、携帯電話装置ａ５からのランダムアクセス信号を受信する（Ｓ５０８）。
【０１１６】
このように、本実実施形態によれば、無線通信システムは、携帯電話装置ａ５が、複数のＲＡＣＨスロットパターンの中から、ＲＡＣＨスロットパターンを決定し、決定したＲＡＣＨスロットパターンを基地局装置ｂ５に通知する。また、無線通信システムは、基地局装置ｂ５が携帯電話装置ａ５から通知されたＲＡＣＨスロットパターンを補正し、補正後のＲＡＣＨスロットパターンを移動局装置ａ５に通知する。また、移動局装置ａ５は、基地局装置ｂ５から通知された補正後のＲＡＣＨスロットパターンのスロットにランダムアクセス信号を割り当てて送信し、基地局装置ｂ５が、補正後のＲＡＣＨスロットパターンのスロットにて、ランダムアクセス信号を受信する。
よって、携帯電話装置ａ５各々が異なる判定条件でＲＡＣＨスロットパターンを決定することができ、携帯電話装置ａ５各々の通信状況等が異なっていても、ランダムアクセス信号を適切な帯域に割り当てることができ、ランダムアクセスによる接続の成功率、又は、ランダムアクセス信号以外の信号の通信効率を向上させることができる。
【０１１７】
また、無線通信システムは、基地局装置ｂ５が、携帯電話装置ａ５から通知されたＲＡＣＨスロットパターンを補正するので、基地局装置ｂ５にて、ランダムアクセス信号に割り当てる帯域を制御することができる。
【０１１８】
なお、上述した実施形態における移動局装置ａ１〜ａ５、又は基地局装置ｂ１、ｂ５の一部、例えば、データ転送効率検出部ａ１３０、サービス種別検出部ａ２３０、周波数帯域検出部ａ２３０１、通信状況検出部ａ３３０、電源電圧検出部ａ４３０、ＲＡＣＨスロット決定部ａ１３１、ａ２３１、ａ３３１、ａ４３１、ＲＡＣＨスロット割当部ａ１３２、ａ５３２、ランダムアクセス信号生成部ａ１３３、ＲＡＣＨスロットパターン通知部ａ１３４、制御部ｂ１３、ｂ５３、ＲＡＣＨスロット補正部ｂ５３１、補正ＲＡＣＨスロットパターン通知部ｂ５３２をコンピュータで実現するようにしても良い。
その場合、この制御機能を実現するためのプログラムをコンピュータ読み取り可能な記録媒体に記録して、この記録媒体に記録されたプログラムを基地局装置や携帯電話装置に内蔵させたコンピュータシステムに読み込ませ、実行することによって実現しても良い。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時刻プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【０１１９】
以上、図面を参照してこの発明の一実施形態について詳しく説明してきたが、具体的な構成は上述のものに限られることはなく、この発明の要旨を逸脱しない範囲内において様々な設計変更等をすることが可能である。
【図面の簡単な説明】
【０１２０】
【図１】この発明の通信システムの概念図である。
【図２】本実施形態に係るＲＡＣＨスロットパターン表の一例を示す概略図である。
【図３】本実施形態に係るＲＡＣＨスロットパターンテーブルを説明するための説明図である。
【図４】第１の実施形態に係る無線通信システムの構成を示す概略的ブロック図である。
【図５】第１の実施形態に係る無線通信システムの動作の一例を示すフロー図である。
【図６】第２の実施形態に係る無線通信システムの構成を示す概略的ブロック図である。
【図７】第２の実施形態に係るＲＡＣＨスロットパターン表の一例を示す概略図である。
【図８】第２の実施形態に係る無線通信システムの動作の一例を示すフロー図である。
【図９】第２の実施形態に係る無線通信システムの構成を示す概略的ブロック図である。
【図１０】第２の実施形態に係るＲＡＣＨスロットパターン表の一例を示す概略図である。
【図１１】第３の実施形態に係る無線通信システムの構成を示す概略的ブロック図である。
【図１２】第３の実施形態に係るＲＡＣＨスロットパターン表の一例を示す概略図である。
【図１３】第３の実施形態に係る無線通信システムの動作の一例を示すフロー図である。
【図１４】第４の実施形態に係る無線通信システムの構成を示す概略的ブロック図である。
【図１５】第４の実施形態に係るＲＡＣＨスロットパターン表の一例を示す概略図である。
【図１６】第４の実施形態に係る無線通信システムの動作の一例を示すフロー図である。
【図１７】第５の実施形態に係る無線通信システムの構成を示す概略的ブロック図である。
【図１８】第５の実施形態に係る無線通信システムの動作の一例を示すフロー図である
【符号の説明】
【０１２１】
Ａ１〜３、ａ１〜ａ５・・・携帯電話装置、Ｂ１，２，ｂ１，ｂ５・・・基地局装置
ａ１０・・・アンテナ部、ａ１１・・・受信部、ａ１２，ａ２２，ａ３２，ａ４２，ａ５２・・・記憶部、ａ１３，ａ２３，ａ３３，ａ４３，ａ５３・・・制御部、ａ１４・・・送信部、ａ１２１・・・ＲＡＣＨスロットパターン候補記憶部、ａ１２２・・・帯域割当情報記憶部、ａ２２３・・・サービス情報帯域割当記憶部、ａ２２３１・・・周波数帯域割当記憶部、ａ３２３・・・通信状況帯域割当記憶部、ａ４２３・・・電源電圧帯域割当記憶部、ａ１３０・・・データ転送効率検出部、ａ２３０・・・サービス種別検出部、ａ２３０１・・・周波数帯域検出部、ａ３３０・・・通信状況検出部、ａ４３０・・・電源電圧検出部、ａ１３１，ａ２３１，ａ３３１，ａ４３１・・・ＲＡＣＨスロットパターン決定部、ａ１３２，ａ５３２・・・ＲＡＣＨスロット割当部（帯域割当部）、ａ１３３・・・ランダムアクセス信号生成部、ａ１３４・・・ＲＡＣＨスロットパターン通知部
ｂ１０・・・アンテナ部、ｂ１１・・・受信部、ｂ１２・・・記憶部、ｂ１２１・・・ＲＡＣＨスロットパターン候補記憶部、ｂ１２２，ｂ５２２・・・帯域割当情報記憶部、ｂ５２２・・・移動局情報記憶部、ｂ１３，ｂ５３・・・制御部、ｂ５３１・・・ＲＡＣＨスロット補正部、ｂ５３２・・・補正ＲＡＣＨスロットパターン通知部、ｂ１４・・・送信部
【図１】
2010114525.tif 000003
【図２】
2010114525.tif 000004
【図３】
2010114525.tif 000005
【図４】
2010114525.tif 000006
【図５】
2010114525.tif 000007
【図６】
2010114525.tif 000008
【図７】
2010114525.tif 000009
【図８】
2010114525.tif 000010
【図９】
2010114525.tif 000011
【図１０】
2010114525.tif 000012
【図１１】
2010114525.tif 000013
【図１２】
2010114525.tif 000014
【図１３】
2010114525.tif 000015
【図１４】
2010114525.tif 000016
【図１５】
2010114525.tif 000017
【図１６】
2010114525.tif 000018
【図１７】
2010114525.tif 000019
【図１８】
2010114525.tif 000020